(57)【要約】      （修正有）【課題】従来からの二脚型スタンドは、支持対象物を安定して支持するというスタンド本来の機能が重視され、見た目のかわいらしさやカッコ良さのデザイン性に乏しいものであるため、アクセサリーで装飾し見た目にかわいらしさやカッコ良さのあるデザイン性に優れた二脚型スタンドを提供する。【解決手段】台座に２本の脚３またはアクセサリーを任意の場所に配置し装着可能な脚・アクセサリー装着部を有し、２本の脚３またはアクセサリーを固定装着または脱着装着可能とする。【選択図】図１１
0003222844.tif 000002
【実用新案登録請求の範囲】
【請求項１】
台座と２本の脚と支持対象物接合部材からなり、前記台座は、その表面を前記２本の脚とアクセサリーを装着するための脚・アクセサリー装着部を有し、その裏面は支持対象物接合部を有し、前記脚は、伸縮可動な脚部にボール継手を接合してあって前記ボール継手を枢支構造を有する脚支持部に枢着し形成され、前記脚・アクセサリー装着部は、前記脚と前記アクセサリーを任意の場所に配置し固定装着または脱着装着可能になるよう設けられ、前記支持対象物接合部は、支持対象物と直接固定装着するか、前記支持対象物接合部材を固定装着または脱着装着し支持対象物と脱着装着し、前記支持対象物接合部材は、磁石や剥離可能な部材で構成していることを特徴とする二脚型スタンド。
【請求項２】
前記脚・アクセサリー装着部に対し前記脚と前記アクセサリーを装着する時のズレを防止するための凹面と外縁を有するズレ防止台座としていることを特徴とする請求項１に記載の二脚型スタンド。
【考案の詳細な説明】
【技術分野】
【０００１】
支持対象物を支持するためのスタンドに関する。
【背景技術】
【０００２】
従来からの二脚型スタンドは、支持対象物を安定して支持するというスタンド本来の機能が重視され、見た目のかわいらしさやカッコ良さのデザイン性に乏しいものであるため、アクセサリーで装飾し見た目にかわいらしさやカッコ良さのあるデザイン性に優れた二脚型スタンドにしたいという要望がある。
【０００３】
特許文献１に記載の二脚型スタンドは、支持対象物（ゴルフバッグ）に固定装着するタイプの二脚型スタンドであり、その主な機能はゴルフバックを支持することであり、２本の脚の脱着装着機能やアクセサリーを飾るという機能はない。特許文献２に記載の二脚型スタンドは、支持対象物との脱着装着は可能だが２本の脚自体は台座に固定装着されており、その機能は特許文献１に記載の二脚型スタンドと同様である。従来までの二脚型スタンドは、支持対象物を安定して支持することが主な機能であり、スタンド自体を装飾するという機能はない。
【先行技術文献】
【特許文献】
【０００４】
【特許文献１】特表昭６３−５０１６２１
【特許文献２】実用新案登録第３２１９３１５号
【考案の概要】
【考案が解決しようとする課題】
【０００５】
本考案は、台座に２本の脚とアクセサリーを任意の場所に配置し固定装着または脱着装着可能とし、可愛い・カッコいい二脚型スタンドを提供すること。
【課題を解決するための手段】
【０００６】
上記目的を達成するため、第１実施形態は、台座に２本の脚またはアクセサリーを任意の場所に配置し装着可能となるよう設けられた脚・アクセサリー装着部を有し、２本の脚またはアクセサリーは固定装着または脱着装着可能な二脚型スタンドとすることで解決した。また、第２実施形態は、第１実施形態の台座の脚・アクセサリー装着部を凹面と外縁を有する脚・アクセサリー装着部とするズレ防止台座としたことを特徴とする。
【考案の効果】
【０００７】
第１実施形態(8)によれば、伸縮可動な脚部(3-a)と脚支持部(3-c)で回動自在な２本の脚(3)を操作し、支持対象物(6)を安定して設置するという機能を実現するとともに、脚・アクセサリー装着部(1-a)に２本の脚(3)と利用者が好みのアクセサリー(5)を任意の場所に配置し装着したところ、楽しい気分になり満足感を得ることができた。２本の脚(3)とアクセサリー(5)の装着は接着剤等で固定装着しても磁石等で脱着装着しても楽しめ、脱着装着では、容易に２本の脚(3)とアクセサリー(5)を脱着し再配置することができるため着せ替え感覚でさらに楽しく満足度が向上した。さらに第１実施形態(8)によれば、支持対象物(6)との脱着が可能なため、装着方向を容易に変更でき、例えば縦装着から横装着にすることで支持対象物(6)を横向きに設置できる。第２実施形態(9)によれば、第１実施形態(8)の効果を奏するとともに、脚・アクセサリー装着部(2-a)に凹面(2-b)と外縁(2-c)を設けたことで、脚(3)またはアクセサリー(5)を装着する時に発生するズレを凹面(2-b)の外縁(2-c)にて防止するという効果がある。
【図面の簡単な説明】
【０００８】
【図１】第１実施形態の構成部材の台座で、(a)は平面図で (b)は正面図で (c)は底面図である。(d)は(c)に支持対象物接合部材を装着した平面図である。
【図２】第１実施形態または第２実施形態の構成部材の脚で、(a)は平面図で (b)は(a)の脚を垂直に立たせた時の正面図である。
【図３】第１実施形態または第２実施形態の構成部材の支持対象物接合部材で、(a)は平面図で (b)は正面図である。
【図４】第１実施形態の構成を示す図で、(a)は平面図で (b)は(a)の脚を垂直に立たせ支持対象物接合部に支持対象物接合部材を装着した時の正面図である。
【図５】第１実施形態の実施例であり、図４(a)の時にアクセサリーを装着した時の平面図である。
【図６】第２実施形態の構成部材のズレ防止台座で、(a)は平面図で (b)は正面図で (c)は断面図で(d)は底面図である。(e)は(d)の支持対象物接合部に支持対象物接合部材を装着した平面図で(f)は(a)を複数結合したズレ防止台座の平面図である。
【図７】第２実施形態の構成を示す図で、(a)は平面図で (b)は(a)の脚を垂直に立たせ支持対象物接合部に支持対象物接合部材を装着した時の正面図である。
【図８】第２実施形態の実施例であり、図７(a)の時にアクセサリーを装着した時の平面図である。
【図９】支持対象物背面に支持対象物接合部材を装着した時の正面図である。
【図１０】第１実施形態にアクセサリーを装着し支持対象物背面に装着した正面図である。
【図１１】図１０の状態から脚を左右に開いた時の正面図である。
【図１２】図１１の状態の時に脚を前方に引き出した時の側面図である。
【図１３】図１１の状態の時に脚右を縮めて障害物に接地させ安定設置した時の正面図である。
【図１４】図１１の状態の時に第１実施形態を横向きに装着した時の正面図である。
【考案を実施するための形態】
【０００９】
以下実施するための形態を図面より説明する。なお、図は説明のための参考として提供するもので、支持対象物はスマートフォンを例に説明する。
【００１０】
図１は第１実施形態(8)の構成部材の台座(1)で、(a)は台座(1)の表面で２本の脚(3)またはアクセサリー(5)を任意の場所に配置し装着可能とするための脚・アクセサリー装着部(1-a)を設けている。(b)は、(a)の正面図である。 (c)は、(a)の底面図で支持対象物接合部(1-b)を有し、支持対象物(6)と接着剤等で直接装着するか、支持対象物接合部材(4)を接着剤等で直接装着するか磁石や剥離可能な部材で脱着装着する。 (d)は、支持対象物接合部(1-b)に支持対象物接合部材(4)を装着した図である。
【００１１】
図２は第１実施形態 (8)および第２実施形態 (9)の構成部材の脚(3)で、 (a)は、脚(3)の平面図で、下部側に向かって内径が縮小するテーパー状に形成された複数本の中空パイプを連結して伸縮自在に組合わせた脚部(3-a)を使用したい長さに伸縮させて使用することができ、ボール継手(3-b)は枢支構造をもつ脚支持部(3-c)に枢結している。(b)は、(a)の脚(3)を垂直に立たせた時の正面図である。
【００１２】
図３は第１実施形態 (8)および第２実施形態 (9)の構成部材の支持対象物接合部材(4)で、(a)は平面図で(b)は正面図である。
【００１３】
脚(3)またはアクセサリー(5)を脚・アクセサリー装着部(1-a)に装着するには、固定装着または脱着装着する方法がある。固定装着する場合は、接着剤等で装着し、脱着装着する場合は、脚(3)またはアクセサリー(5)または脚・アクセサリー装着部(1-a)またはそれぞれに脱着可能な部材（磁石、剥離可能な部材等）を使用し装着する。
【００１４】
図４(a)は、第１実施形態(8)の構成の１つの例で、脚(3)を脚・アクセサリー装着部(1-a)の両端に固定装着または脱着装着した平面図で、(b)は(a)の脚を垂直に立たせ支持対象物接合部(1-b)に支持対象物接合部材(4)を装着している正面図である。
【００１５】
図５は、第１実施形態(8)にアクセサリ(5)を装着した実施例である。
【００１６】
図６は第２実施形態(9)の構成部材のズレ防止台座(2)で、(a)はズレ防止台座(2)の表面で２本の脚(3)またはアクセサリー(5)を任意の場所に配置し装着可能とするための脚・アクセサリー装着部(2-a)に凹面(2-b)と外縁(2-c)を有し、２本の脚(3)またはアクセサリー(5)を装着する時に発生するズレを凹面(2-b)の外縁(2-c)にて防止する。 (b)は、 (a)の正面図である。(c)は、(b)の断面図である。(d)は、(a)の底面図で支持対象物接合部(2-d)を有し、支持対象物(6)と接着剤等で直接装着するか、支持対象物接合部材(4)を接着剤等で直接装着するか磁石や剥離可能な部材で脱着装着する。(e)は、支持対象物接合部(2-d)に支持対象物接合部材(4)を装着した図である。(f)は、(a)を複数結合させた図である。
【００１７】
脚(3)またはアクセサリー(5)を脚・アクセサリー装着部(2-a)に装着するには、固定装着または脱着装着する方法がある。固定装着する場合は、接着剤等で装着し、脱着装着する場合は、脚(3)またはアクセサリー(5)または脚・アクセサリー装着部(2-a) またはそれぞれに脱着可能な部材（磁石、剥離可能な部材等）を使用し装着する。
【００１８】
図７(a)は、第２実施形態(9)の構成の１つの例で、脚(3)を脚・アクセサリー装着部(2-a)の両端に固定装着または脱着装着した平面図で、(b)は(a)の脚を垂直に立たせ支持対象物接合部(2-d)に支持対象物接合部材(4)を装着している正面図である。
【００１９】
図８は、第２実施形態(9)にアクセサリ(5)を装着した実施例である。
【００２０】
第１実施形態(8)または第２実施形態(9)を支持対象物(6)に装着するには、固定装着または脱着装着する方法がある。固定装着する場合は、支持対象物接合部(1-bまたは2-d)に接着剤を塗布し装着する。脱着装着する場合は、支持対象物接合部(1-bまたは2-d)に支持対象物接合部材(4)を用いて装着する。この時支持対象物(6)に装着できなかったり、装着するものの装着力が弱い場合は、図９に示すように支持対象物(6)にも支持対象物接合部材(4)を用いる。
【００２１】
図１０は、第１実施形態(8)にアクセサリー(5)を装着し支持対象物(6)背面に装着した時の正面図で、図１１は図１０の状態から脚(3)を左右に広げた状態で、図１２は図１１の状態から脚(3)を前方に引き出した状態の側面図である。図１３は、障害物(7)に片方の脚(3)を操作し接地させ支持対象物(6)を安定して設置している。図１４は、第１実施形態(8)を横向きに装着し、支持対象物(6)を横向きに設置している。
【００２２】
なお、第１実施形態または第２実施形態は、この実施例によってなんら限定されるものではない。
例えば、支持対象物であれば、スマートフォン、タブレット端末等の携帯情報端末や絵画スタンド、看板等、支持対象物に間接的に装着する部材（スマートフォンの保護フォンカバー等）も含む。
台座またはズレ防止台座であれば、その素材、大きさ、形状、平行回転の有無等。
脚・アクセサリー装着部であれば、その素材、大きさ、形状、アクセサリーとの脱着有無等。
脚・アクセサリー装着部の設置場所であれば、台座直接、台座間接的等。
支持対象物接合部や支持対象物接合部材であれば、その素材、大きさ、形状、支持対象物との脱着方法（磁石、繰り返し粘着可能なテープ等）・平行回転の有無等。
脚支持部であれば、その素材、大きさ、形状、枢支構造、結合方法。
脚であれば、その素材、大きさ、形状、伸縮式の有無・方法、折り曲げ式の有無・方法等。
アクセサリーであれば、その素材、大きさ、形状、脚・アクセサリー装着部との装着方法（接着剤による固定装着、磁石・繰り返し脱着可能なシール等）等。
【符号の説明】
【００２３】
１  台座
１−ａ  脚・アクセサリー装着部
１−ｂ  支持対象物接合部
２  ズレ防止台座
２−ａ  脚・アクセサリー装着部
２−ｂ  凹面
２−ｃ  外縁
２−ｄ  支持対象物接合部
３  脚
３−ａ  脚部
３−ｂ  ボール継手
３−ｃ  脚支持部
４  支持対象物接合部材
５  アクセサリー
６  支持対象物
７  障害物
８  第１実施形態
９  第２実施形態
【図１】
0003222844.tif 000003
【図２】
0003222844.tif 000004
【図３】
0003222844.tif 000005
【図４】
0003222844.tif 000006
【図５】
0003222844.tif 000007
【図６】
0003222844.tif 000008
【図７】
0003222844.tif 000009
【図８】
0003222844.tif 000010
【図９】
0003222844.tif 000011
【図１０】
0003222844.tif 000012
【図１１】
0003222844.tif 000013
【図１２】
0003222844.tif 000014
【図１３】
0003222844.tif 000015
【図１４】
0003222844.tif 000016